(57)【要約】【課題】  コンクリートスラブに形成された開口部など雨水の浸入を防止したい部分に、止水堰を容易に仮設でき、且つ撤去でき、更に、安定性に富む止水堰を得ることができる止水堰部材を提供する。【解決手段】  コンクリートスラブ５に止水堰７を仮設する止水堰部材１であって、遮水性を持つ止水部材２と、該止水部材２の下面に設けられ、該止水部材２とスラブ表面との間に介装されるパッキン３と、コンクリートスラブ５に打ち込まれて止水部材２をスラブ表面に固定する固定具４とを備え、雨水の浸入を防止したい部分のコンクリートスラブ５に、パッキン３をスラブ表面に当てるようにして止水部材２を配置し、固定具４をコンクリートスラブ５に打ち込み、前記パッキン３を止水部材２とスラブ表面との間で圧縮するようにして止水部材２をスラブ表面に固定できるようにした。【選択図】  図１
2005113599.tif 000002
【特許請求の範囲】
【請求項１】
コンクリートスラブに止水堰を仮設する止水堰部材であって、遮水性を持つ止水部材と、該止水部材の下面に設けられ、該止水部材とスラブ表面との間に介装されるパッキンと、コンクリートスラブに打ち込まれて前記止水部材をスラブ表面に固定する固定具とを備えたことを特徴とする止水堰部材。
【請求項２】
前記パッキンは、粘着剤を含浸させた合成樹脂発泡体からなることを特徴とする請求項１に記載の止水堰部材。
【発明の詳細な説明】
【技術分野】
【０００１】
本発明は、コンクリート建築物の建築の途中で、コンクリートスラブに止水堰を仮設する止水堰部材に関する。
【背景技術】
【０００２】
コンクリート建築物のコンクリートスラブには、電気、空調、上下水道、階段等の開口部や階段開口部、鉄骨柱が貫通する多数の開口部、或いはエレベーターシャフトに通じる開口部が形成される。これらの開口部はコンクリート建築物の建築の途中で形成されるが、このときには屋根は形成されていないので、雨が降ると前記開口部を伝わって雨水が上層階から下層階へ流れ落ち、スラブ表面に水溜まりができてしまい、水を除去しなければ作業が進まなくなる。
【０００３】
こうしたことから、スラブに形成された開口部からの雨水の浸入を防止する手段として、開口部の周囲に止水堰を仮設することが行われている。従来、開口部の周囲に仮設される止水堰として、開口部の周囲にモルタルを土手のように盛り上げて止水堰を仮設するといったことが多く行われている。しかし、かかる止水堰の仮設には手間がかかり、しかもスラブ面の仕上げ作業を行う段階での止水堰の撤去作業が面倒である。そこで、開口部周囲のスラブ表面に対する貼着面を有する耐水性の粘着層と、スラブ表面の凹凸に追従して弾性変形可能で粘着層の粘着力よりも小さな反発力を有する柔軟性と遮水性とをもつ弾性層とを備えた止水具が提案されている（例えば、特許文献１参照。）。
【０００４】
この止水具は、開口部周囲のスラブ表面に粘着層を介して弾性層を貼着することにより、開口部の周囲に止水堰を仮設するようになっている。
【特許文献１】特開２０００−１９９３４１号公報
【発明の開示】
【発明が解決しようとする課題】
【０００５】
しかしながら、前記特許文献１で提案されている止水具は、スラブ表面に粘着層を介して弾性層を貼着することにより、開口部の周囲に止水堰を仮設するため、弾性層からなる止水堰に側面側から強い衝撃が加わったとき、弾性層がスラブ表面から剥がれるおそれがあり、特に、スラブ表面に凹凸があり、この凹凸に追従して弾性層が弾性変形してスラブ表面に貼着されている場合、弾性層の反発弾性は常にスラブ表面からの剥離方向に働くため剥がれ易く、止水堰としての安定性に欠けるといった問題がある。
【０００６】
本発明の目的は、例えばコンクリートスラブに形成された開口部など雨水の浸入を防止したい部分に、止水堰を容易に仮設でき、且つ撤去でき、更に、安定性に富む止水堰を得ることができる止水堰部材を提供することにある。
【課題を解決するための手段】
【０００７】
上記目的を達成するために、請求項１に記載の発明は、コンクリートスラブに止水堰を仮設する止水堰部材であって、遮水性を持つ止水部材と、該止水部材の下面に設けられ、該止水部材とスラブ表面との間に介装されるパッキンと、コンクリートスラブに打ち込まれて前記止水部材をスラブ表面に固定する固定具とを備えたことを特徴とする。
【０００８】
請求項２に記載の発明は、請求項１に記載の前記パッキンが、粘着剤を含浸させた合成樹脂発泡体からなることを特徴とする。
【発明の効果】
【０００９】
上記請求項１に記載の発明によれば、遮水性を持つ止水部材と、該止水部材の下面に設けられ、該止水部材とスラブ表面との間に介装されるパッキンと、コンクリートスラブに打ち込まれて前記止水部材をスラブ表面に固定する固定具とを備えたので、雨水の浸入を防止したい部分のコンクリートスラブに、パッキンをスラブ表面に当てるようにして止水部材を配置し、固定具をコンクリートスラブに打ち込み、前記パッキンを止水部材とスラブ表面との間で圧縮するようにして止水部材をスラブ表面に固定するといった簡単な作業により、コンクリートスラブに止水堰を仮設することができ、また、コンクリートスラブに打ち込んだ固定具を引き抜くことにより、止水堰を形成する止水部材をスラブ表面から簡単に撤去することができる。また、コンクリートスラブに仮設された止水堰は、止水部材とスラブ表面との間にパッキンを止水部材により圧縮するようにして介装することにより、止水部材とスラブ表面との間はパッキンで確実にシールされることから、前記のようにして形成された止水堰により、雨水の浸入を確実に防止することができる。また、前記止水部材はコンクリートスラブに打ち込まれた固定具によりスラブ表面に固定されるので、パッキンをスラブ表面との間で圧縮した状態で止水部材をスラブ表面に確実に且つ堅牢に固定することができ、これにより強い衝撃に耐え、安定性に富む止水堰を得ることができる。
【００１０】
上記請求項２に記載の発明によれば、請求項１に記載の前記パッキンが、粘着剤を含浸させた合成樹脂発泡体からなるので、前記パッキンはスラブ表面の凹凸に追随して容易に且つ確実に密着し、そして、合成樹脂発泡体に含浸した粘着剤がパッキンとスラブ表面との間及びパッキンと止水部材との間、更には合成樹脂発泡体の気泡を確実に埋めるので、止水効果が向上し、雨水の浸入を一層確実に防止することができるものとなる。
【発明を実施するための最良の形態】
【００１１】
以下、本発明を実施するための最良の形態の一例について図面を参照して詳細に説明する。  
図１は本発明の実施の形態の第１例の止水堰部材によって形成された止水堰の一例を示す斜視図、図２は図１に示す止水堰の断面図、図３は第１例の止水堰部材を構成する１つの止水部材を示す斜視図、図４は第１例の止水堰部材を示す他の止水部材を示す斜視図である。
【００１２】
図において、１は止水堰部材であり、この止水堰部材１は、止水部材２と、該止水部材２の下面に設けられ、該止水部材２とスラブ表面との間に介装されるパッキン３と、コンクリートスラブに打ち込まれて前記止水部材２をスラブ表面に固定する固定具４とを備えている。
【００１３】
前記止水部材２にあっては、本例では、直線状に形成された止水部材２ａ（図３）と略Ｌ字状に形成されたコーナー用の止水部材２ｂ（図４）とにより構成され、前記止水部材２ａと止水部材２ｂを適宜組み合わせることに、適宜形状の、例えば、図１に示すような、コンクリートスラブ５に形成された電気、空調、上下水道等の開口部６の周囲を囲うように矩形状の止水堰７を形成することができるようになっている。前記止水部材２ａ，２ｂは、遮水性を持ち断面略四角形状となっており、その止水部材２ａ，２ｂの上面にはそれぞれガイド溝８が一端側から他端側まで形成されており、このガイド溝８に、コンクリート釘、タッピングネジ等で構成される前記固定具４が打ち込まれるようになっている。
【００１４】
前記止水部材２ａ，２ｂの材質にあっては、例えば、人工木材、塩ビ、押し出しセメント板等が使用されるが、止水性があり且つ定形性があれば、特に限定されるものではない。
【００１５】
前記止水部材２ａ，２ｂの下面に設けられているパッキン３にあっては、止水部材２ａ，２ｂの下面と前記スラブ表面との間に介装されて止水部材２ａ，２ｂの下面と前記スラブ表面との間からの浸水を防ぐことができるものであれば、特に限定されるものではない。本例では、発泡ウレタン等の合成樹脂発泡体がパッキン３として使用されている。パッキン３が合成樹脂発泡体である場合は、止水部材２ａ，２ｂの下面と前記スラブ表面との間に、少なくとも雨水を通さない程度に圧縮されて介装されていることを要する。
【００１６】
前記合成樹脂発泡体には、粘着剤としてアスファルトが含浸されていることが好ましい。アスファルトが含浸された合成樹脂発泡体をパッキン３として使用することにより、合成樹脂発泡体を圧縮したとき、前記アスファルトが止水部材２ａ，２ｂの下面とスラブ表面との接着機能を果たすとともに合成樹脂発泡体内を埋めつぶすことになり、止水部材２ａ，２ｂの下面とスラブ表面との間の止水をより確実なものとする。
【００１７】
なお、合成樹脂発泡体に含浸させる粘着剤としては、合成樹脂発泡体を圧縮したとき、止水部材２ａ，２ｂの下面とスラブ表面との接着機能を果たすとともに合成樹脂発泡体内を埋め潰すものであればよく、アスファルトに限られるものではない。
【００１８】
前記のようにして構成される止水堰部材１を用いての、コンクリートスラブ５に開口する開口部６の周囲への止水堰７の仮設は、次のようにして行う。  
図１に示すように、直線状に形成された止水部材２ａと略Ｌ字状に形成されたコーナー用の止水部材２ｂを開口部６の形状に合わせて適宜組み合わせ、下面に設けてあるパッキン３をスラブ面に押し当てるようにして開口部６の周囲を囲うように配置する。
【００１９】
このとき、隣り合う止水部材２ａ，２ｂの突き合わせ端面間の浸水を防ぐものとして接続用パッキン９を介装させるとよい（図５）。この接続用パッキン９は止水部材２ａ，２ｂの突き合わせ端面間からの浸水を防ぐことができるものであれば、特に限定されるものではない。本例では発泡ウレタン等の合成樹脂発泡体が接続用パッキン９として使用されており、止水部材２ａ，２ｂの突き合わせ端部間に、少なくとも雨水を通さない程度に圧縮されて介装されていることを要する。
【００２０】
前記合成樹脂発泡体よりなる接続用パッキン９には、粘着剤としてアスファルトが含浸されていることが好ましい。アスファルトが含浸された合成樹脂発泡体を接続用パッキン９として使用すると、圧縮したとき、前記アスファルトが止水部材２ａ，２ｂの突き合わせ端面同士を接着する機能を果たすとともに合成樹脂発泡体内を埋めつぶすことになり、止水部材２ａ，２ｂの突き合わせ端面間の止水をより確実なものとする。
【００２１】
なお、合成樹脂発泡体に含浸させる粘着剤としては、合成樹脂発泡体を圧縮したとき、止水部材２ａ，２ｂの突き合わせ端面同士を接着する機能を果たすとともに合成樹脂発泡体内を埋め潰すものであればよく、アスファルトに限られるものではない。
【００２２】
このようにしてコンクリートスラブ５に開口する開口部６の周囲に配置した止水部材２ａと止水部材２ｂの上面に形成されたガイド溝８からコンクリート釘、タッピングネジ等で構成される前記固定具４をコンクリートスラブ５に打ち込み、パッキン３を止水部材２ａ，２ｂとスラブ表面との間で圧縮するようにして前記止水部材２ａ，２ｂをスラブ表面に固定する。これにより、図１に示す止水堰７がコンクリートスラブ５に仮設される。
【００２３】
このようにしてコンクリートスラブ５に仮設された止水堰７は、止水部材２ａ，２ｂとスラブ表面との間にパッキン３を止水部材２ａ，２ｂにより圧縮するようにして介装することにより、止水部材２ａ，２ｂとスラブ表面との間はパッキン３で確実にシールされることから、止水堰７で囲まれた開口部６への雨水等の浸入は確実に防止される。
【００２４】
そして、前記パッキン３は粘着剤を含浸させた合成樹脂発泡体からなるので、前記パッキン３はスラブ表面の凹凸に追随して容易に且つ確実に密着し、そして、合成樹脂発泡体に含浸した粘着剤がパッキン３とスラブ表面との間及びパッキン３と止水部材２ａ，２ｂとの間、更には合成樹脂発泡体の気泡を確実に埋めるので、止水効果が向上し、雨水等の浸入が一層確実に防止される。
【００２５】
また、前記止水部材２ａ，２ｂはコンクリートスラブ５に打ち込まれた固定具４によりスラブ表面に固定されるので、パッキン３を止水部材２ａ，２ｂとスラブ表面との間で圧縮した状態で、前記止水部材２ａ，２ｂをスラブ表面に確実に且つ堅牢に固定することができ、これにより強い衝撃に耐え、安定性に富む止水堰が得られる。
【００２６】
一方、上記のようにしてコンクリートスラブ５に仮設された止水堰７は、コンクリートスラブ５に打ち込んだ固定具４を引き抜くことにより、スラブ表面から簡単に撤去することができる。
【００２７】
なお、本例では、止水部材２ａ，２ｂの上面に形成されたガイド溝８から、コンクリート釘、タッピングネジ等で構成される前記固定具４がコンクリートスラブ５に打ち込まれるようになっているが、図６に示すように、止水部材２ａ，２ｂの両側に、底面から伸びる鍔部１０が形成されており、この鍔部１０から、コンクリート釘、タッピングネジ等で構成される前記固定具４がコンクリートスラブ５に打ち込まれるようになっていてもよい。
【００２８】
また、本例では、固定具４がコンクリート釘、タッピングネジ等で構成され、止水部材２ａ，２ｂをコンクリートスラブ５に打ち込み固定するようになっているが、これに限られるものではない。例えば、図７、図８に示すように、止水部材２ａ，２ｂの断面形状に沿って略コ字形に形成された嵌合部１１と該嵌合部１１の端部から外側に向かって延設された固定片１２とからなるハット形の金具１３と、前記固定片１２からコンクリートスラブ５に打ち込まれるアンカーボルト１４とで構成されるものであってもよい。
【００２９】
このような構成の固定具４による止水部材２ａ，２ｂのスラブ表面への固定は、止水部材２ａ，２ｂの適宜位置に嵌合部１１を被せてアンカーボルト１４を固定片１２からコンクリートスラブ５に打ち込み、パッキン３を止水部材２ａ，２ｂとスラブ表面との間で圧縮するようにして止水部材２ａ，２ｂをスラブ表面に固定する。
【００３０】
また、本例では、隣り合う止水部材２ａ，２ｂの突き合わせ端面間の浸水を防ぐものとして接続用パッキン９を介装させているが、これに限られるものではない。例えば、図９、図１０に示すように、止水部材２ａ，２ｂの下面に設けたパッキンを、止水部材２ａ，２ｂの両端面にまで達するように形成し（図９）、隣り合う止水部材２ａ，２ｂの端面を突き合わせるとき、止水部材２ａ，２ｂの両端面に達しているパッキン３ａ同士を相互に圧縮するように当接させてもよい（図１０）。このようにすることにより、隣り合う止水部材２ａ，２ｂの突き合わせ端面間は、当接して互いに圧縮するパッキン３ａにより浸水を防ぐことができる。
【００３１】
なお、上記説明においては、雨水の浸入を防止したい部分として、電気、空調、上下水道等の開口部６の周囲に止水堰７を仮設した例を挙げて説明したが、本発明の止水堰部材により形成される止水堰を仮設する場所は、このような場所に限られるものではなく、例えば、図１１に示すように、エレベーターシャフト１５に通じる開口部１６の周辺であってもよい。このとき、コ字形に形成さた止水堰７の端部を構成する止水部材２ａ（２ｂ）と壁１７との間のシールは、例えば、図９に示した止水部材２ａ（２ｂ）を用い、パッキン３ａを止水部材２ａ（２ｂ）と壁１７との間で圧縮するようにして固定する（図１２）。
【００３２】
次に、本発明に係る止水堰部材の実施の形態の第２例について説明する。図１３は本発明の実施の形態の第２例の止水堰部材によって形成された止水堰の一例を示す斜視図である。
【００３３】
本例の止水部材２も、第１例と同様に、直線状に形成された止水部材２ａと略Ｌ字状に形成されたコーナー用の止水部材２ｂとにより構成され、前記止水部材２ａと止水部材２ｂを適宜組み合わせることに、適宜形状の止水堰７を形成することができるようになっている。前記止水部材２ａ，２ｂは、遮水性を持ち断面略Ｌ字状となっており、その縦片が止水片１８となり、横片が支持片１９となっている。支持片１９の下面には、パッキン３が設けられている。そして、コンクリート釘、タッピングネジ等で構成される固定具４は、支持片１９からコンクリートスラブ５に打ち込まれるようになっている。前記パッキン３にあっては、第１例と同様であるので、その説明は省略する。
【００３４】
前記のようにして構成される第２例の止水堰部材１を用いての、コンクリートスラブ５に開口する開口部６の周囲への止水堰７の仮設は、次のようにして行う。
【００３５】
第１例と同様に、直線状に形成された止水部材２ａと略Ｌ字状に形成されたコーナー用の止水部材２ｂを開口部６の形状に合わせて適宜組み合わせ、支持片１９下面に設けてあるパッキン３をスラブ面に押し当てるようにして開口部６の周囲を囲うように配置する。
【００３６】
このとき、隣り合う止水部材２ａ，２ｂの突き合わせ端面間の浸水を防ぐものとして第１例と同様に接続用パッキン９を介装させるとよい（図１４）。この接続用パッキン９は止水部材２ａ，２ｂの断面形状に合わせて略Ｌ字状に形成されている。
【００３７】
このようにしてコンクリートスラブ５に開口する開口部６の周囲に配置した止水部材２ａと止水部材２ｂの支持片１９からコンクリート釘、タッピングネジ等で構成される前記固定具４をコンクリートスラブ５に打ち込み、パッキン３を止水部材２ａ，２ｂの支持片１９とスラブ表面との間で圧縮するようにして前記止水部材２ａ，２ｂをスラブ表面に固定する。これにより、止水堰７がコンクリートスラブ５に仮設される。
【００３８】
なお、本例において、固定具４は、図１５に示すように段差部２０を介して接続された押さえ片２１と固定片２２とを備えてなる金具２３と、金具２３の固定片２２からコンクリートスラブ５に打ち込まれるアンカーボルト２４とを有して構成されるものであってもよい。
【００３９】
このような構成の固定具４による止水部材２ａ，２ｂのスラブ表面への固定は、止水部材２ａ，２ｂの支持片１９を金具２３の押さえ片２１で押さえ、アンカーボルト２４を固定片２２からコンクリートスラブ５に打ち込み、パッキン３を止水部材２ａ，２ｂの支持片１９とスラブ表面との間で圧縮するようにして止水部材２ａ，２ｂをスラブ表面に固定する。
【００４０】
なお、第１例及び第２例では、いずれも前記止水部材２が、直線状に形成された止水部材２ａと略Ｌ字状に形成されたコーナー用の止水部材２ｂとにより構成されているが、これらの形状に限定されるものではない。
【図面の簡単な説明】
【００４１】
【図１】本発明の実施の形態の第１例の止水堰部材によって形成された止水堰の一例を示す斜視図。
【図２】図１に示す止水堰の断面図。
【図３】第１例の止水堰部材を構成する１つの止水部材を示す斜視図。
【図４】第１例の止水堰部材を示す他の止水部材を示す斜視図。
【図５】隣り合う止水部材の突き合わせ状態を示す説明図。
【図６】第１例の止水部材の他例を示す斜視図。
【図７】第１例の固定具の他例を示す斜視図。
【図８】図７の断面図。
【図９】第１例のパッキンの他例を示す説明図。
【図１０】図９のパッキンを設けた止水部材の突き合わせ状態を示す説明図。
【図１１】第１例の止水堰部材で形成した止水堰の他例を示す斜視図。
【図１２】図１１の止水堰のシール状態を示す説明図。
【図１３】本発明の実施の形態の第２例の止水堰部材によって形成された止水堰の一例を示す説明図。
【図１４】第２例の止水部材の突き合わせ状態を示す説明図。
【図１５】第２例の固定具の他例を示す斜視図。
【符号の説明】
【００４２】
１  止水堰部材
２，２ａ，２ｂ  止水部材
３，３ａ  パッキン
４  固定具
５  コンクリートスラブ
６  開口部
７  止水堰
８  ガイド溝
９  接続用パッキン
１０  鍔部
１１  嵌合部
１２  固定片
１３  金具
１４  アンカーボルト
１５  エレベーターシャフト
１６  開口部
１７  壁
１８  止水片
１９  支持片
２０  段差部
２１  押さえ片
２２  固定片
２３  金具
２４  アンカーボルト
【図１】
2005113599.tif 000003
【図２】
2005113599.tif 000004
【図３】
2005113599.tif 000005
【図４】
2005113599.tif 000006
【図５】
2005113599.tif 000007
【図６】
2005113599.tif 000008
【図７】
2005113599.tif 000009
【図８】
2005113599.tif 000010
【図９】
2005113599.tif 000011
【図１０】
2005113599.tif 000012
【図１１】
2005113599.tif 000013
【図１２】
2005113599.tif 000014
【図１３】
2005113599.tif 000015
【図１４】
2005113599.tif 000016
【図１５】
2005113599.tif 000017